【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  上面に開口部（２７）を有し、上下方向に延びる有底筒状の冷媒容器（２０）と、
前記冷媒容器（２０）の前記開口部（２７）を閉塞する閉塞部材（３０）と、
前記冷媒容器（２０）の側面に設けられ、前記冷媒容器（２０）内に冷媒を導入する冷媒導入口（２４）と、
前記冷媒容器（２０）の前記冷媒導入口（２４）より下方に設けられ、前記冷媒容器（２０）内で気液分離された後の液冷媒を前記冷媒容器（２０）外に導出する冷媒導出口（２５）と、
前記冷媒容器（２０）内の前記冷媒導入口（２４）と前記冷媒導出口（２５）との間に設けられるとともに、前記冷媒容器（２０）の筒内面（２６）と対向する外周面（５０ａ）に前記筒内面（２６）と接するシール部（５３）が形成され、前記冷媒導出口（２５）から導出される前の液冷媒をろ過するフィルタ部材（５０）とを備え、
前記フィルタ部材（５０）は、前記閉塞部材（３０）から垂下した保持部材（４０）を介して前記閉塞部材（３０）に結合しているとともに、前記外周面（５０ａ）のみが前記冷媒容器（２０）と摺接し、前記シール部（５３）が前記筒内面（２６ａ）に接しながら移動することが可能であることを特徴とする受液器。
【請求項２】  前記シール部（５３）は、前記フィルタ部材（５０）の前記外周面（５０ａ）に円周状に形成され、
前記冷媒容器（２０）には、前記筒内面（２６）のうち前記シール部（５３）が摺接するシール面（２６ａ）が円筒状に形成されていることを特徴とする請求項１に記載の受液器。
【請求項３】  前記開口部（２７）は、前記閉塞部材（３０）が螺合するねじ部（２８）を有し、前記ねじ部（２８）の中心軸は、前記シール面（２６ａ）の中心軸上に形成されていることを特徴とする請求項２に記載の受液器。
【請求項４】  前記冷媒容器（２０）は、前記シール面（２６ａ）より上方側の内径が、前記シール面（２６ａ）の内径より大きいことを特徴とする請求項２または請求項３に記載の受液器。
【請求項５】  前記保持部材（４０）には、前記冷媒導入口（２４）に対応する高さに、冷媒を通過させる貫通孔（４５）が形成されていることを特徴とする請求項１ないし請求項４のいずれか１つに記載の受液器。
【請求項６】  前記保持部材（４０）は、樹脂材料により形成されていることを特徴とする請求項１ないし請求項５のいずれか１つに記載の受液器。
【請求項７】  前記保持部材（４０）は、前記閉塞部材（３０）と係止する第１係止部（４１）と、前記フィルタ部材（５０）と係止する第２係止部（４３）と、前記第１係止部（４１）と前記第２係止部（４３）とを連結する連結部（４２）とからなり、
前記連結部（４２）は、水平方向断面が略円弧状に形成され、略円弧の広がり角度が１８０度以下であり、
前記冷媒容器（２０）内の前記連結部（４２）の前記略円弧内側に乾燥部材（６０）を備えることを特徴とする請求項６に記載の受液器。
【請求項８】  前記連結部（４２）は、水平方向断面が半円弧状であることを特徴とする請求項７に記載の受液器。
【請求項９】  前記冷媒容器（２０）は、前記フィルタ部材（５０）と前記閉塞部材（３０）との結合状態が解除された場合に、前記シール部（５３）が前記冷媒導出口（２５）の上端より下方に位置することを防止するように、前記フィルタ部材（５０）の落下を規制する落下規制手段（２９）を備えることを特徴とする請求項１ないし請求項８のいずれか１つに記載の受液器。
【請求項１０】  前記落下規制手段（２９）は、前記冷媒容器（２０）内に形成された段部（２９）であることを特徴とする請求項９に記載の受液器。
【請求項１１】  左右に配置されたヘッダタンク（１３、１４）とこれらヘッダタンクの間を連通するチューブ（１１）とを備える凝縮器（１）の前記ヘッダタンク（１４）に並設されていることを特徴とする請求項１ないし請求項１０のいずれかに記載の受液器。
【請求項１２】  外周面（５０ａ）に冷媒容器（２０）の筒内面（２６ａ）と接するシール部（５３）が形成されたフィルタ部材（５０）と、
樹脂材料により一体成形することにより形成された保持部材（４０）とを備え、
前記保持部材（４０）は、
前記冷媒容器（２０）の上面の開口部（２７）を閉塞する閉塞部材（３０）に係止される第１係止部（４１）と、
前記フィルタ部材（５０）を係止するための第２係止部（４３）と、
前記第１係止部（４１）と前記第２係止部（４３）とを連結し、乾燥剤粒子を不織布で取り囲んだ乾燥部材（６０）を前記第１係止部（４１）と前記第２係止部（４３）との間に配置して、当該乾燥部材（６０）と並ぶようにして前記冷媒容器（２０）内に挿入可能な連結部（４２）とを備え、
前記シール部（５３）が前記筒内面（２６ａ）に接しながら移動することが可能なように、前記閉塞部材（３０）から垂下されて前記冷媒容器（２０）内に装着されることを特徴とする受液器用フィルタ。
【請求項１３】  前記シール部（５３）は、前記外周面（５０ａ）からひさしのように形成されていることを特徴とする請求項１２に記載の受液器用フィルタ。
【請求項１４】  前記フィルタ部材（５０）は、有底円筒状に形成され、側面部にはメッシュ状のフィルタ（５１）が一体成形されていることを特徴とする請求項１３に記載の受液器用フィルタ。
【請求項１５】  左右に配置されたヘッダタンク（１３、１４）と、
これらヘッダタンクの間を連通するチューブ（１１）と、
前記ヘッダタンク（１４）に並設され、上面に開口部（２７）を有し、上下方向に延びる有底筒状の冷媒容器（２０）と、
前記冷媒容器（２０）の前記開口部（２７）を閉塞する閉塞部材（３０）と、
外周面（５０ａ）に前記冷媒容器（２０）の筒内面（２６ａ）と摺接するシール部（５３）が形成されたフィルタ部材（５０）と、
樹脂材料により一体成形することにより形成された保持部材（４０）とを備え、
前記保持部材（４０）は、
前記閉塞部材（３０）に係止される第１係止部（４１）と、
前記フィルタ部材（５０）を係止するための第２係止部（４３）と、
前記第１係止部（４１）と前記第２係止部（４３）との間に配置され、乾燥剤粒子を不織布で取り囲んだ乾燥部材（６０）と、
前記第１係止部（４１）と前記第２係止部（４３）とを連結し、前記乾燥部材（６０）と並ぶようにして前記冷媒容器（２０）内に挿入された連結部（４２）とを備え、
前記フィルタ部材（５０）と前記保持部材（４０）とは、前記シール部（５３）が前記筒内面（２６ａ）に接しながら移動することが可能なように、前記閉塞部材（３０）から垂下されて前記冷媒容器（２０）内に装着されていることを特徴とする受液器を一体的に備える凝縮器。
【請求項１６】  前記シール部（５３）は、前記外周面（５０ａ）からひさしのように形成されていることを特徴とする請求項１５に記載の受液器を一体的に備える凝縮器。
【請求項１７】  前記フィルタ部材（５０）は、有底円筒状に形成され、側面部にはメッシュ状のフィルタ（５１）が一体成形されていることを特徴とする請求項１６に記載の受液器を一体的に備える凝縮器。
【請求項１８】  前記冷媒容器（２０）は、その側面に設けられ、前記ヘッダタンク（１４）から前記冷媒容器（２０）内に冷媒を導入する冷媒導入口（２４）と、
前記冷媒容器（２０）の側面に前記冷媒導入口（２４）より下方に設けられ、前記冷媒容器（２０）内で気液分離された後の液冷媒を前記冷媒容器（２０）から前記ヘッダタンク（１４）に導出する冷媒導出口（２５）とを有し、前記シール部（５３）は前記冷媒導入口（２４）と前記冷媒導出口（２５）との間の前記筒内面（２６ａ）に接していることを特徴とする請求項１５ないし請求項１７のいずれかに記載の受液器を一体的に備える凝縮器。
【手続補正２】
【補正対象書類名】明細書
【補正対象項目名】０００７
【補正方法】変更
【補正の内容】
【０００７】
【課題を解決するための手段】
上記目的を達成するため、請求項１に記載の発明では、上面に開口部（２７）を有し、上下方向に延びる有底筒状の冷媒容器（２０）と、前記冷媒容器（２０）の開口部（２７）を閉塞する閉塞部材（３０）と、冷媒容器（２０）の側面に設けられ、冷媒容器（２０）内に冷媒を導入する冷媒導入口（２４）と、冷媒容器（２０）の冷媒導入口（２４）より下方に設けられ、冷媒容器（２０）内で気液分離された後の液冷媒を冷媒容器（２０）外に導出する冷媒導出口（２５）と、冷媒容器（２０）内の冷媒導入口（２４）と冷媒導出口（２５）との間に設けられるとともに、冷媒容器（２０）の筒内面（２６）と対向する外周面（５０ａ）に筒内面（２６）と接するシール部（５３）が形成され、冷媒導出口（２５）から導出される前の液冷媒をろ過するフィルタ部材（５０）とを備え、フィルタ部材（５０）は、閉塞部材（３０）から垂下した保持部材（４０）を介して閉塞部材（３０）に結合しているとともに、前記外周面（５０ａ）のみが前記冷媒容器（２０）と摺接し、シール部（５３）が筒内面（２６ａ）に接しながら移動することが可能であることを特徴としている。
【手続補正３】
【補正対象書類名】明細書
【補正対象項目名】００２７
【補正方法】変更
【補正の内容】
【００２７】
上記目的を達成するために、請求項１１に記載の発明では、左右に配置されたヘッダタンク（１３、１４）とこれらヘッダタンクの間を連通するチューブ（１１）とを備える凝縮器（１）のヘッダタンク（１４）に並設されていることを特徴とする請求項１ないし請求項１０のいずれかに記載の受液器という技術的手段が採用される。
上記目的を達成するために、請求項１２に記載の発明では、外周面（５０ａ）に冷媒容器（２０）の筒内面（２６ａ）と接するシール部（５３）が形成されたフィルタ部材（５０）と、樹脂材料により一体成形することにより形成された保持部材（４０）とを備え、保持部材（４０）は、冷媒容器（２０）の上面の開口部（２７）を閉塞する閉塞部材（３０）に係止される第１係止部（４１）と、フィルタ部材（５０）を係止するための第２係止部（４３）と、第１係止部（４１）と第２係止部（４３）とを連結し、乾燥剤粒子を不織布で取り囲んだ乾燥部材（６０）を第１係止部（４１）と第２係止部（４３）との間に配置して、当該乾燥部材（６０）と並ぶようにして冷媒容器（２０）内に挿入可能な連結部（４２）とを備え、閉塞部材（３０）から垂下されて、シール部（５３）が筒内面（２６ａ）に接しながら移動することが可能なように、冷媒容器（２０）内に装着されることを特徴とする受液器用フィルタという技術的手段が採用される。
上記目的を達成するために、請求項１３に記載の発明では、シール部（５３）は、外周面（５０ａ）からひさしのように形成されていることを特徴とする請求項１２に記載の受液器用フィルタという技術的手段が採用される。
上記目的を達成するために、請求項１４に記載の発明では、フィルタ部材（５０）は、有底円筒状に形成され、側面部にはメッシュ状のフィルタ（５１）が一体成形されていることを特徴とする請求項１３に記載の受液器用フィルタという技術的手段が採用される。
上記目的を達成するために、請求項１５に記載の発明では、左右に配置されたヘッダタンク（１３、１４）と、これらヘッダタンクの間を連通するチューブ（１１）と、ヘッダタンク（１４）に並設され、上面に開口部（２７）を有し、上下方向に延びる有底筒状の冷媒容器（２０）と、冷媒容器（２０）の開口部（２７）を閉塞する閉塞部材（３０）と、外周面（５０ａ）に冷媒容器（２０）の筒内面（２６ａ）と摺接するシール部（５３）が形成されたフィルタ部材（５０）と、樹脂材料により一体成形することにより形成された保持部材（４０）とを備え、保持部材（４０）は、閉塞部材（３０）に係止される第１係止部（４１）と、フィルタ部材（５０）を係止するための第２係止部（４３）と、第１係止部（４１）と第２係止部（４３）との間に配置され、乾燥剤粒子を不織布で取り囲んだ乾燥部材（６０）と、第１係止部（４１）と第２係止部（４３）とを連結し、乾燥部材（６０）と並ぶようにして冷媒容器（２０）内に挿入された連結部（４２）とを備え、フィルタ部材（５０）と保持部材（４０）とは、閉塞部材（３０）から垂下されて、シール部（５３）が筒内面（２６ａ）に接しながら移動することが可能なように、冷媒容器（２０）内に装着されていることを特徴とする受液器を一体的に備える凝縮器という技術的手段が採用される。
上記目的を達成するために、請求項１６に記載の発明では、シール部（５３）は、外周面（５０ａ）からひさしのように形成されていることを特徴とする請求項１５に記載の受液器を一体的に備える凝縮器という技術的手段が採用される。
上記目的を達成するために、請求項１７に記載の発明では、フィルタ部材（５０）は、有底円筒状に形成され、側面部にはメッシュ状のフィルタ（５１）が一体成形されていることを特徴とする請求項１６に記載の受液器を一体的に備える凝縮器という技術的手段が採用される。
上記目的を達成するために、請求項１８に記載の発明では、冷媒容器（２０）は、その側面に設けられ、ヘッダタンク（１４）から冷媒容器（２０）内に冷媒を導入する冷媒導入口（２４）と、冷媒容器（２０）の側面に冷媒導入口（２４）より下方に設けられ、冷媒容器（２０）内で気液分離された後の液冷媒を冷媒容器（２０）からヘッダタンク（１４）に導出する冷媒導出口（２５）とを有し、シール部（５３）は冷媒導入口（２４）と冷媒導出口（２５）との間の筒内面（２６ａ）に接していることを特徴とする請求項１５ないし請求項１７のいずれかに記載の受液器を一体的に備える凝縮器という技術的手段が採用される。
なお、上記各手段に付した括弧内の符号は、後述する実施形態記載の具体的手段との対応関係を示す。